(57)【要約】      （修正有）【課題】冷蔵庫や冷凍庫などとして実現され、花卉類、穀類、生鮮食品、加工食品などの収容物を収容して貯蔵する貯蔵庫において、前記収容物の鮮度保持を実現する。【解決手段】貯蔵庫１は、量子３０が転写されているＬＥＤ３３を備える監視カメラ３を貯蔵庫本体２に備えるとともに、その監視画像を確認するパソコン５に、量子４０が転写されている記憶素子４を装着して構成される。ＬＥＤ３３からの照明光で量子３５が搬送される。一方、パソコン５の液晶画面５１では、記憶素子４からの量子エネルギー４０が液晶画面５１の微粒子と共振して量子エネルギー５０が発生し、参照符号５３で示すように、量子テレポーテーション現象によって、監視カメラ３の撮像範囲の収容物（６１〜６３）や貯蔵庫本体２の壁面２１に転写される。量子が転写された収容物（６１〜６３）は、その鮮度を保持する。【選択図】図１
2018141571.tif 000002
【特許請求の範囲】
【請求項１】
内部に収容物を収容する貯蔵庫本体と、
前記貯蔵庫本体内に量子を放射するように加工された量子放射源とを備え、
前記量子放射源から放射された前記量子が前記収容物に転写され、或いは前記貯蔵庫本体の壁面に転写された前記量子が前記収容物に再転写されることで、該収容物の鮮度低下を抑えることを特徴とする貯蔵庫。
【請求項２】
前記量子放射源は、電圧２５Ｖ以上、２５０Ｖ以下、周波数２Ｈｚ以上、２００Ｈｚ以下の交流電圧に、周波数３５０Ｈｚ以上、３０ｋＨｚ以下の微弱信号成分を重畳し、さらに負の成分を取り出すことで得られた予め定める周期および大きさの振動エネルギーを金属に付与することで、該金属に前記量子が発生し、その発生された量子が転写されることで、前記量子を放射するように加工されていることを特徴とする請求項１記載の貯蔵庫。
【請求項３】
前記貯蔵庫本体の壁面は、金属、プラスチックまたは木材から成ることを特徴とする請求項１または２記載の貯蔵庫。
【請求項４】
前記量子放射源は、監視カメラであり、該監視カメラは照明用の光源を有し、その照明光に伝搬されて、前記量子が、前記収容物に転写され、或いは前記貯蔵庫本体の壁面に転写されることを特徴とする請求項１〜３の何れか１項に記載の貯蔵庫。
【請求項５】
前記収容物としては、花卉類、穀類、生鮮食品、加工食品であり、それらの冷蔵庫または冷凍庫として実現されることを特徴とする請求項１〜４の何れか１項に記載の貯蔵庫。
【請求項６】
車両、航空機または船舶に搭載されて、荷物室またはコンテナとして実現されることを特徴とする請求項５記載の貯蔵庫。
【請求項７】
倉庫として実現されることを特徴とする請求項５記載の貯蔵庫。
【発明の詳細な説明】
【技術分野】
【０００１】
本発明は、花卉類、穀類、生鮮食品、加工食品などの収容物に、量子を転写することで、該収容物の鮮度低下を抑えながら（鮮度保持）、該収容物を貯蔵する新規な貯蔵庫に関する。
【背景技術】
【０００２】
従来から、前記の生鮮食品などにマイクロ波や電磁波などを照射して、変性することが行われている。特許文献１は、本件発明者の提案によるもので、量子波を食用油に照射することで、該食用油を変性させ、酸化を防止している。
【先行技術文献】
【特許文献】
【０００３】
【特許文献１】特許第５７２７１０４号公報
【発明の概要】
【発明が解決しようとする課題】
【０００４】
上述の特許文献１は、電極を食用油に浸漬させたり、食用油を収容している金属筐体に電極を接触させ、その電極に所定の負の変動電位を与えることで、前記電極や金属筐体を構成する素材原子の外殻電子軌道に変動を生じさせ、それに基づく陽子の振動によって量子波を発生させている。したがって、特許文献１の従来技術は、食用油を変性させて、長持ちさせられる優れた技術であるが、処理の対象物に制約があるとともに、構成や作業に、簡単とは言い切れない面がある。
【０００５】
本発明の目的は、量子を用いて食品などの鮮度保持を行うにあたって、広範な物体に、簡単かつ効率的に（高い効果で）、量子を転写することができる貯蔵庫を提供することである。
【課題を解決するための手段】
【０００６】
本発明の貯蔵庫は、内部に収容物を収容する貯蔵庫本体と、前記貯蔵庫本体内に量子を放射するように加工された量子放射源とを備え、前記量子放射源から放射された前記量子が前記収容物に転写され、或いは前記貯蔵庫本体の壁面に転写された前記量子が前記収容物に再転写されることで、該収容物の鮮度低下を抑える（鮮度保持する）ことを特徴とする。
【０００７】
上記の構成によれば、花卉類、穀類、生鮮食品、加工食品などの収容物を収容して貯蔵する貯蔵庫において、その貯蔵庫本体に向けて量子を放射する量子放射源を設け、該量子放射源から放射された量子やその集団（以降、総称して量子と言う）を、前記収容物に転写させる。
【０００８】
具体的に、前記量子放射源が前記量子を放射するように加工する手法としては、交流電源で発生された電圧２５Ｖ以上、２５０Ｖ以下、好ましくは１００Ｖで、周波数２Ｈｚ以上、２００Ｈｚ以下、好ましくは１００Ｈｚの交流電圧に、ＬＣ値が０．０３×１０-9〜２．０×１０-9のＬＣ並列共振回路にて、外部電磁波から誘導された、周波数３５０Ｈｚ以上、３０ｋＨｚ以下の微弱信号成分を重畳し、さらにダイオードなどの整流素子で負の成分を取り出すことで得られた予め定める周期および大きさの振動エネルギーを金属に付与して、該金属に大量に発生した量子を前記量子放射源に転写することで行うことができる。量子としては、光子、電子、クウォーク、ニュートリノ等である。
【０００９】
前記量子放射源からの量子は、直接に収容物に転写され、或いは、一旦壁面などに付着した後、再転写される。量子が転写された収容物は、その鮮度が保持される。したがって、貯蔵庫本体に収容物を収容し、量子放射源からの量子を与えるだけであるので、広範な物体に、簡単かつ効率的に（高い効果で）鮮度保持を行うことができる。
【００１０】
また、本発明の貯蔵庫では、前記貯蔵庫本体の壁面は、金属、プラスチックまたは木材から成ることを特徴とする。
【００１１】
上記の構成によれば、布は量子を吸収して消滅させてしまうのに対して、金属、プラスチックまたは木材は、それらの吸収が少ない。
【００１２】
したがって、壁面の材料にそれらを用いることで、量子放射源から壁面に一旦付着した量子が、或いは収容物を透過したり反射されたりした量子が、該壁面から収容物に再転写され、量子の利用効率、すなわち鮮度保持効果を高めることができる。また、そのような材料の貯蔵庫本体としては、既存の倉庫やコンテナの壁材も対象となり、量子放射源を設置するだけで、鮮度保持を実現することができる。
【００１３】
さらにまた、本発明の貯蔵庫では、前記量子放射源は、監視カメラであり、該監視カメラは照明用の光源を有し、その照明光に伝搬されて、前記量子が、前記収容物に転写され、或いは前記貯蔵庫本体の壁面に転写されることを特徴とする。
【００１４】
上記の構成によれば、量子の伝搬が光で可能と言う本件発明者の知見に基づき、前記量子放射源として監視カメラを用い、量子の伝搬に、その撮影用の照明光を用いる。
【００１５】
したがって、貯蔵庫本体内を監視カメラで監視（撮影）するだけで、容易に、収容物の鮮度保持を実現することができる。
【００１６】
また好ましくは、前記量子放射源は、持ち運び自在の記憶素子であり、前記貯蔵庫本体内には監視カメラが設置される一方、液晶画面を備え、前記監視カメラの撮像画像を表示する情報処理装置が設けられており、前記記憶素子が装着された情報処理装置は、前記記憶素子を使用しての前記液晶画面での監視画像の表示時に、前記量子のエネルギーが液晶の微粒子に共振して該液晶画面に量子エネルギーが発生し、その量子エネルギーが、量子テレポーテーション現象によって、前記監視カメラの撮像範囲の前記収容物や貯蔵庫本体の壁面に転写されることを特徴とする。
【００１７】
上記の構成によれば、パーソナルコンピュータなどの液晶画面を備える情報処理装置において、監視カメラによって量子の転写対象を表示し、その情報処理装置に、量子を転写したＳＤメモリカード（登録商標）などの記憶素子を装着すると、表示の際に記憶素子の量子のエネルギーが液晶の微粒子に共振して該液晶画面に量子エネルギーが発生し、その量子エネルギーが、量子テレポーテーション現象によって、前記液晶画面に表示された対象に転写すると言う本件発明者の知見に基づき、前記量子放射源として前記記憶素子を用い、転写手段として、前記監視カメラおよび情報処理装置を用いる。
【００１８】
したがって、貯蔵庫本体内を監視カメラで監視（撮影）するだけで、容易に、収容物の鮮度保持を実現することができる。また、量子放射源としても、持ち運び自在の記憶素子であると、極めて容易に作成・頒布することができる。
【００１９】
さらにまた、本発明の貯蔵庫では、前記収容物としては、花卉類、穀類、生鮮食品、加工食品であり、それらの冷蔵庫または冷凍庫として実現されることを特徴とする。
【００２０】
上記の構成によれば、貯蔵庫が冷蔵庫または冷凍庫を兼ねることで、量子を転写するために、収容物を、わざわざ特別の貯蔵室に一旦貯蔵したりする必要はなく、通常の食品などの扱いと同様に、冷蔵庫または冷凍庫に入れるだけでよく、利便性を向上することができる。
【００２１】
また、本発明の貯蔵庫は、車両、航空機または船舶に搭載されて、荷物室またはコンテナとして実現されることを特徴とする。
【００２２】
上記の構成によれば、貯蔵庫が車両、航空機または船舶の荷物室やコンテナを兼ねることで、量子を転写するために、収容物を、わざわざ特別な貯蔵室に一旦貯蔵したりする必要はなく、通常の食品などの扱いと同様に、荷物室やコンテナに入れるだけでよく、利便性を向上することができる。
【００２３】
さらにまた、本発明の貯蔵庫は、倉庫として実現されることを特徴とする。
【００２４】
上記の構成によれば、貯蔵庫が倉庫を兼ねることで、量子を転写するために、収容物を、わざわざ特別の貯蔵室に一旦貯蔵したりする必要はなく、通常の食品などの扱いと同様に、倉庫に入れるだけでよく、利便性を向上することができる。
【発明の効果】
【００２５】
本発明の貯蔵庫は、以上のように、冷蔵庫や冷凍庫などとして実現され、花卉類、穀類、生鮮食品、加工食品などの収容物を収容して貯蔵する貯蔵庫において、その貯蔵庫の本体となる貯蔵庫本体に量子放射源を設け、収容物に、光子、電子、クウォーク、ニュートリノ等の量子を転写する。
【００２６】
それゆえ、量子が転写された収容物は、その鮮度が保持されるとともに、貯蔵庫本体に収容物を収容し、量子放射源からの量子を転写するだけであるので、広範な物体に、簡単かつ効率的に（高い効果で）鮮度保持を行うことができる。
【図面の簡単な説明】
【００２７】
【図１】本発明の実施の一形態に係る貯蔵庫の全体構成を模式的に示す斜視図である。
【図２】量子放射源の一例である記憶素子に量子を転写する装置の一構成例を模式的に示す電気回路図である。
【図３】本発明の実施の他の形態に係る貯蔵庫の全体構成を示す斜視図である。
【発明を実施するための形態】
【００２８】
（実施の形態１）
図１は、本発明の実施の一形態に係る貯蔵庫１の全体構成を模式的に示す斜視図である。この貯蔵庫１は、既存の倉庫などとして実現される貯蔵庫本体２と、貯蔵庫本体２内に設置され、量子を放射するように加工された量子放射源である監視カメラ３および記憶素子４とを備えて構成される。貯蔵庫本体２は、図示しない冷房・冷凍装置からの冷媒などによって、その内部に収容される収容物を冷却・冷凍するように構成されていてもよい。
【００２９】
この貯蔵庫１は、後に詳述するようにして、収容物に量子を転写して、その鮮度保持を行うものであり、冷蔵庫の場合の収容物としては、花卉６１、または野菜６２、魚６３、肉などの生鮮食品、もしくは米や麦などの図示しない穀類、または図示しない加工食品などの、前記鮮度保持が有効なものである。図１では、転写された量子を、それらの周囲を取囲む、参照符号６０のドットのイメージで示している。量子としては、光子、電子、クウォーク、ニュートリノ等が挙げられる。本件発明者の知見では、量子が転写された収容物は、その鮮度低下を抑えることに大きな効果を有する（鮮度保持される）。特に、葉物野菜、中でもレタスは、収穫からの時間経過で縮んで鄙びてしまうのに対して、シャキッとしたパリパリ感を、長く持続させることができ、好適である。
【００３０】
第１の量子放射源である監視カメラ３は、筐体３１内に、レンズ３２およびその内方に配置される撮像素子と、前記レンズ３２の周囲を取り囲むように配置される照明光源としての複数のＬＥＤ３３と、筐体３１を壁面２１（図１の例では天井に）に取付けるブラケット３４とを備えて構成される。ＬＥＤ３３は、収容物の撮影用の照明光である可視光および／または赤外光を放射する。
【００３１】
後述するようにして、該監視カメラ３に、参照符号３０で示すように量子が転写されていると、量子は、参照符号３５で示すように、ＬＥＤ３３からの照明光に伝搬されて、収容物（６１〜６３）に転写され、或いは貯蔵庫本体２の壁面２１に転写される。これは、量子の伝搬が光で可能と言う本件発明者の知見に基づき、量子放射源として監視カメラ３を用い、量子の伝搬に、その撮影用の照明光を用いているためである。一旦壁面２１などに付着した量子も、収容物（６１〜６３）に再転写される。したがって、貯蔵庫本体２内に収容物（６１〜６３）を収容し、監視カメラ３で監視（撮影）するだけで、収容物（６１〜６３）の鮮度保持を行うことができるので、広範な物体に、簡単かつ効率的に（高い効果で）鮮度保持を行うことができる。
【００３２】
また、第２の量子放射源である４は、持ち運び自在の記憶素子であり、本実施形態ではＳＤメモリカード（登録商標）で示しており、それに関連して、実際の量子の転写手段として、前記の監視カメラ３と、液晶画面５１を備え、監視カメラ３の撮像画像を表示するパーソナルコンピュータ５などの情報処理装置とが用いられる。液晶画面５１で監視画像を表示する際に、参照符号４０で示すように量子が転写された記憶素子４をパーソナルコンピュータ５に装着すると、量子のエネルギーが液晶の微粒子に共振して該液晶画面５１に、参照符号５０で示すように量子エネルギーが発生し、その量子エネルギーが、参照符号５３で示すように、量子テレポーテーション現象によって、監視カメラ３の撮像範囲の収容物（６１〜６３）や貯蔵庫本体２の壁面２１に転写される。このような量子テレポーテーション現象５３を利用した量子（５０）の転写も、本件発明者の知見に基づくものである。記憶素子としては、ＳＤメモリカード（登録商標）４に限らず、コンパクトフラッシュ（登録商標）カードや、ＵＳＢメモリなどであってもよい。
【００３３】
このように構成することで、既存の監視カメラ３のモニター用のパーソナルコンピュータ５に記憶素子４を装着するだけで、容易に、収容物（６１〜６３）の鮮度保持を実現することができる。また、量子放射源としても、持ち運び自在の記憶素子４であるので、極めて容易に作成・頒布することができる。
【００３４】
なお、貯蔵庫本体２は、上述のように既存の倉庫としても、該貯蔵庫本体２の壁面２１の材料は、布であると量子を吸収して消滅させてしまうので、量子の吸収が少なく、一旦転写された量子を、収容物（６１〜６３）に再転写し易い、金属、プラスチックまたは木材であることが好ましい。金属の中でも、錫、亜鉛、ＳＵＳ３０４或いはアルミが、特に好ましい。そうすることで、量子放射源から壁面２１に一旦付着した量子が、或いは収容物（６１〜６３）を透過したり反射されたりした量子が、該壁面２１から収容物に再転写され、量子の利用効率、すなわち鮮度保持効果を高めることができる。また、そのような材料の貯蔵庫本体２としては、上述のように既存の倉庫やコンテナの壁材も対象となり、量子放射源を設置するだけで、鮮度保持を実現することができる。
【００３５】
図２は、量子放射源の一例である記憶素子４に、量子を転写する装置８の一構成例を模式的に示す電気回路図である。この転写装置８は、交流電圧を発生する交流電源８１と、前記交流電圧に、外部電磁波から誘導された電圧を重畳するＬＣ並列共振回路８２と、前記重畳された電圧を整流して、負の成分を取出すダイオードなどの整流素子８３と、取出された電圧が与えられる金属板８４とを備えて構成される。
【００３６】
交流電源８１は、可変周波数で交流を発生し、その周波数範囲は、２Ｈｚ以上、２００Ｈｚ以下であり、好ましくは１００Ｈｚである。また、交流電源８１の出力電圧は、２５Ｖ以上、２５０Ｖ以下、好ましくは１００Ｖである。ＬＣ並列共振回路４２は、前記外部電磁波から共振周波数成分を抽出する。そのＬＣ値は０．０３×１０-9〜２．０×１０-9、したがって共振周波数は、３５０Ｈｚ以上、３０ｋＨｚ以下である。そして、交流電源８１の交流電圧に、外部電磁波からＬＣ並列共振回路８２に誘導された電圧が重畳された電圧を整流素子８３で整流して、負の成分を金属板８４に与えることで、該金属板８４から、前記光子、電子、クウォーク、ニュートリノ等の量子（４０）が大量に発生し、記憶素子４に転写されるようになる。なお、整流素子８３を設けずに、全波の成分を金属板８４に与えても、量子（４０）は発生するものの、本件発明者の実験結果によれば、発生量は大幅に減少してしまうので、負の成分だけを与えることが好ましい。監視カメラ３および／またはＬＥＤ３３への量子（３０，３５）の転写も、同様に、それらを金属板８４に載せて行うことができる。
【００３７】
この転写装置８は、パーソナルコンピュータなどで実現される量子エネルギーのコントロール装置によって、その発生する量子のエネルギーが制御されてもよい。金属板８４は、地面から絶縁されているが、数μＡ〜数十μＡの低周波の微弱電流が、該金属板８４から空中へ流れる。そこで、該金属板８４と地面との間に高抵抗８５を入れて、前記微弱電流、したがって記憶素子４に転写される量子エネルギーを、適切に調整することも可能である。すなわち、装置の規模などに応じて、放電量を大きくすると、使用できるエネルギーが小さくなると言う具合である。金属板８４には、前記錫、亜鉛、ＳＵＳ３０４或いはアルミが好ましい。
【００３８】
上述のように、量子（６０）を収容物（６１〜６３）に転写することで、その鮮度保持を行う本実施形態の貯蔵庫１は、通常の冷蔵・冷凍の倉庫などとして使用することができるので、収容物（６１〜６３）の処理を特別な貯蔵室で行う必要が無く、利便性が高い（収容物（６１〜６３）を動かさなくてもよい）。また、貯蔵庫本体２内には、収容物（６１〜６３）の出し入れのためのコンベアやローラが敷設されたり、倉庫として使用される場合には、収容物がパレットごと、フォークリフトによって出し入れされてもよい。
【００３９】
また、本実施形態の収蔵庫１における貯蔵庫本体２の鮮度保持の効果は高く、一旦、量子（６０）を転写してしまえば、所定期間、鮮度保持の効果が持続されるので、収容物（６１〜６３）が長期保管される場合、監視カメラ３で常時監視している必要は無い。そこで、貯蔵庫本体２は、量子（６０）が転写されたパネルなどの建材が、組立てられて構成されるだけでもよい。
（実施の形態２）
図３は、本発明の実施の他の形態に係る貯蔵庫７の全体構成を示す斜視図である。この貯蔵庫７で注目すべきは、貯蔵庫本体２は、トラック７１の荷室として実現されることである。したがって、この貯蔵庫７は、冷蔵車や冷凍車としても実現可能である。そして、収容物（６１〜６３）を運んでいる間に、鮮度保持機能を有するように処理することができる。同様に、貯蔵庫７は、航空機や船舶に搭載されてもよい。
【符号の説明】
【００４０】
１，７    貯蔵庫
２    貯蔵庫本体
３    監視カメラ
３０，３５，４０，５０，６０    量子
３１    筐体
３２    レンズ
３３    ＬＥＤ
４    記憶素子
５    パーソナルコンピュータ
５１    液晶画面
５３    量子テレポーテーション現象
６１    花卉（収容物）
６２    野菜（収容物）
６３    魚（収容物）
７１    トラック
８    量子の転写装置
８１    交流電源
８２    ＬＣ並列共振回路
８３    整流素子
８４    金属板
８５    高抵抗
【図１】
2018141571.tif 000003
【図２】
2018141571.tif 000004
【図３】
2018141571.tif 000005